(57)【要約】【課題】本発明は、作業効率を向上させ、ヒューズの装着状態を安定にし、一対のヒューズ接続用端子間の挿入力に違いがあっても、ヒューズ抜けの発生を防止でき、構造が簡単で安価なヒューズ装着用治具及びヒューズ装着方法を提供する。【解決手段】本ヒューズ装着用治具１は、ブロック状に形成された押圧部材２と、押圧部材２をヒューズ収容部Ｓ側に移動可能に支持する本体３と、本体３の底面に設けられ、ヒューズ収容部Ｓに固定して保持する固定部材４とを有し、押圧部材２は、ヒューズＦのヒューズケース５５の上面に当接する当接部５と、その当接部５をヒューズ収容部Ｓに押圧する押圧部６とからなる。押圧部材２の当接部５が押圧部６よりも所定方向に狭く形成されているので、ヒューズ側端子５３を挿入する際に高い挿入力を必要とする第１のヒューズ接続用端子５０側に対応するヒューズケース５５の部分に当接部５を当接することにより押圧力を集中できる。【選択図】図１
2008146887.tif 000002
【特許請求の範囲】
【請求項１】
ヒューズケースと、該ヒューズケースに所定方向に間隔を隔てて設けられた一対のヒューズ側端子とを備えたヒューズを、前記一対のヒューズ側端子と接続される一対のヒューズ接続用端子を備えたヒューズ収容部に装着するヒューズ装着用治具において、
前記ヒューズケースに当接する当接部と、該当接部を前記ヒューズ収容部側に押圧する押圧部とを備え、前記当接部が前記押圧部よりも所定方向に狭く形成された面を有する押圧部材と、
前記押圧部材の当接部が挿通する挿通孔が形成され、前記押圧部材を前記ヒューズ収容部側に移動可能に支持する本体と、
前記本体に設けられ、前記ヒューズ収容部に固定するガイド部材と、
を有することを特徴とするヒューズ装着用治具。
【請求項２】
前記押圧部材の当接部は、複数の前記ヒューズを同時に押圧できるように形成されていることを特徴とする請求項１に記載のヒューズ装着用治具。
【請求項３】
前記押圧部材及び本体は、透明又は半透明な材質で作られていることを特徴とする請求項１又は２に記載のヒューズ装着用治具。
【請求項４】
前記本体に、前記装着すべきヒューズの位置を確認するためのチェック用の表示が施され、前記ヒューズケースが視認可能に構成されていることを特徴とする請求項１乃至３のいずれか１つの項に記載のヒューズ装着用治具。
【請求項５】
請求項１乃至４のいずれか１つの項に記載のヒューズ装着用治具を用いたヒューズ装着方法であって、
前記ヒューズの一対のヒューズ側端子を前記ヒューズ収容部の一対のヒューズ接続用端子上に載置するステップと、
前記ヒューズのヒューズ側端子を挿入する際に高い挿入力を必要とするヒューズ接続用端子側に対応する前記ヒューズケースの部分に前記押圧部材を当接するステップと、
前記押圧部材を前記ヒューズ収容部側に押圧するステップと、
を有することを特徴とするヒューズ装着方法。
【発明の詳細な説明】
【技術分野】
【０００１】
本発明は、電気接続箱等に設けられたヒューズ収容部（ヒューズボックス）にヒューズを挿入して取り付けるために用いられるヒューズ装着用治具及びヒューズ装着方法に関し、特に、ヒューズを挿入する際に必要とする挿入力がヒューズ収容部内の一対のヒューズ接続用端子間で違いがある場合に適したヒューズ装着用治具及びヒューズ装着方法に関する。
【背景技術】
【０００２】
一般に、自動車等の車両には種々の電装品が搭載されているが、これらの電装品に電力を供給する回路には、電装品を過電流から保護するためのヒューズが設けられている。ヒューズは、電気接続箱等に設けられたヒューズ収容部（ヒューズボックス）に挿入され取り付けられる。
【０００３】
図５（Ａ）は、ヒューズ収容部にヒューズを装着する前の状態を示す平面図、（Ｂ）は（Ａ）のｂ−ｂ線断面図、（Ｃ）はヒューズ収容部にヒューズを装着した後の状態を示す平面図である。
【０００４】
図５（Ａ）及び（Ｂ）に示すように、ヒューズ収容部Ｓは、合成樹脂等で作られ、上部にヒューズ挿入口５７ａが開口された本体５７と、本体５７内に幅方向に対向し、かつ長手方向に沿って配置された複数の一対のヒューズ接続用端子５０，５１とを備えている。本体５７内には装着すべきヒューズＦを仕切るための仕切り部５８が間隔を隔てて複数設けられている。
【０００５】
図５（Ｃ）に示すように、複数のヒューズＦは、各一対のヒューズ接続用端子５０，５１を跨いだ状態で装着され、互いに平行に配置される。
【０００６】
従来においては、作業者の指にヒューズＦを保持した状態で手作業によりヒューズ収容部Ｓに装着していた（以下、従来例１という）。
【０００７】
また、棒状に形成されたヒューズ挿入治具を用いてヒューズＦを挿入する場合もあった（以下、従来例２という）。
【０００８】
さらに、特許文献１には、ヒューズを吸着保持する多数の真空吸着部を備えた可動枠を設け、その可動枠を保持枠へ摺動自在に取り付ける一方、保持枠のヒューズ装着側の先端にヒューズ押込枠を固定し、ヒューズ押込枠より真空吸着部を突出させ、真空吸着部で保持されたヒューズが電気接続箱のヒューズ収容部に挿入された時に、真空吸着部が後退しヒューズ押込枠がヒューズと当接して、ヒューズをヒューズ収容部に押し込むように構成されたヒューズ挿入治具が提案されている。
【０００９】
このヒューズ挿入治具によれば、狭小ピッチのヒューズ収容部に一度に多数のヒューズを挿入することができる、としている（以下、従来例３という）。
【特許文献１】特願２００１−５２５９２号公報
【発明の開示】
【発明が解決しようとする課題】
【００１０】
従来例１では、作業者の指を使って直接ヒューズＦをヒューズ収容部Ｓに挿入する作業であるので作業効率が悪く、また、ヒューズＦの装着状態にばらつきが生じやすいという課題があった。
【００１１】
従来例２では、例えば、ヒューズ収容部Ｓ内に設けられた一対のヒューズ接続用端子５０，５１が、基板５６に取り付けられたバスバー５２に形成された第１のヒューズ接続用端子５０（図５（Ｂ）、図６（Ａ）参照）と基板５６に取り付けられた第２のヒューズ接続用端子５１（図５（Ｂ）、図６（Ｂ）参照）とからなる場合、図６（Ｃ）に示すヒューズＦの所定方向に間隔を隔てて設けられたヒューズ側端子５３，５４を挿入する際に、第１のヒューズ接続用端子５０の方が、第２のヒューズ接続用端子５１よりも高い挿入力を必要とする。
【００１２】
これは、第１のヒューズ接続用端子５０では硬い板状の一対の金属片５０ａを押し広げるため、高い挿入力を必要とするのに対し、第２のヒューズ接続用端子５１では弾性力を有する一対の舌片５１ａを押し広げるため、それほど高い挿入力を必要としないからである。
【００１３】
例えば、本発明者らの実験によれば、第２のヒューズ接続用端子５１は平均１６．６Ｎ程度の挿入力を必要とするのに対し、第１のヒューズ接続用端子５０は平均４０．７Ｎ程度の高い挿入力を必要とする。
【００１４】
このように、ヒューズＦを挿入する際に必要とする挿入力がヒューズ収容部Ｓ内の一対のヒューズ接続用端子５０，５１間で違いがある場合、棒状のヒューズ挿入治具を用いてヒューズＦのヒューズケース５５を押圧しても、挿入しやすいヒューズ側端子５４の側にヒューズＦが傾きやすくなり、挿入し難い他方のヒューズ側端子５３が、挿入位置のズレにより、第１のヒューズ接続用端子５０から外れてしまう等の不具合があった。その結果、ヒューズ抜け等の問題が発生するという課題があった。
【００１５】
従来例３では、ヒューズ吸着用の真空パッドを必要するため、装置が複雑で高価なものになるという課題があった。
【００１６】
本発明は、上記課題を解決するためになされたものであり、作業効率を向上させ、ヒューズの装着状態を安定にし、一対のヒューズ接続用端子間の挿入力に違いがあっても、ヒューズ抜けの発生を防止でき、構造が簡単で安価なヒューズ装着用治具及びヒューズ装着方法を提供することを目的とする。
【課題を解決するための手段】
【００１７】
本発明のヒューズ装着用治具は、ヒューズケースと、該ヒューズケースに所定方向に間隔を隔てて設けられた一対のヒューズ側端子とを備えたヒューズを、前記一対のヒューズ側端子と接続される一対のヒューズ接続用端子を備えたヒューズ収容部に装着するヒューズ装着用治具において、前記ヒューズケースに当接する当接部と、該当接部を前記ヒューズ収容部側に押圧する押圧部とを備え、前記当接部が前記押圧部よりも所定方向に狭く形成された面を有する押圧部材と、前記押圧部材の当接部が挿通する挿通孔が形成され、前記押圧部材を前記ヒューズ収容部側に移動可能に支持する本体と、前記本体に設けられ、前記ヒューズ収容部に固定するガイド部材とを有することを特徴とするものである。
【００１８】
前記押圧部材の当接部は、複数の前記ヒューズを同時に押圧できるように形成されていてもよい。
【００１９】
前記押圧部材及び本体は、透明又は半透明な材質で作られていてもよい。
【００２０】
前記本体に、前記装着すべきヒューズの位置を確認するためのチェック用の表示が施され、前記ヒューズケースが視認可能に構成されていてもよい。
【００２１】
本発明のヒューズ装着方法は、前記ヒューズ装着用治具を用いて、
前記ヒューズの一対のヒューズ側端子を前記ヒューズ収容部の一対のヒューズ接続用端子上に載置するステップと、
前記ヒューズのヒューズ側端子を挿入する際に高い挿入力を必要とするヒューズ接続用端子側に対応する前記ヒューズケースの部分に前記押圧部材を当接するステップと、
前記押圧部材を前記ヒューズ収容部側に押圧するステップと、
を有することを特徴とするものである。
【発明の効果】
【００２２】
請求項１及び５に係る発明によれば、押圧部材を押圧することにより、ヒューズを装着できるので、作業者の指で直接ヒューズを押圧する作業に比べて作業効率が向上し、ヒューズの装着状態を安定化できる。
【００２３】
また、押圧部材の当接部が押圧部よりも所定方向に狭く形成された面を有するので、ヒューズ側端子を挿入する際に高い挿入力を必要とするヒューズ接続用端子側に対応するヒューズケースの部分に押圧力を集中できる。その結果、ヒューズを真っ直ぐに挿入でき、ヒューズの挿入位置がズレることがなくなり、ヒューズ抜け等の問題が発生することを防止できる。
【００２４】
また、押圧部は、当接部よりも所定方向に広く形成されているので、作業者が指で押しやすく、作業者の指を痛めない。
【００２５】
さらに、請求項１に係る発明によれば、構造が簡単であり、ヒューズ吸着用の真空パッド等の高価な部材を必要としないので、安価に製造することができる。
【００２６】
請求項２に係る発明によれば、複数のヒューズを同時に装着できるので、作業効率がさらに向上する。
【００２７】
請求項３に係る発明によれば、押圧部材の上から装着すべきヒューズを目視で確認できる。
【００２８】
請求項４に係る発明によれば、容量の異なるヒューズをヒューズ収容部に誤って装着することがなくなり、生産性が向上する。
【発明を実施するための最良の形態】
【００２９】
以下、本発明の実施の形態について図面を参照して説明する。図１（Ａ）は本発明の第１の実施形態例に係るヒューズ装着用治具を示す斜視図、（Ｂ）はその裏面図、（Ｃ）は（Ａ）のｃ−ｃ線断面図である。
【００３０】
図１に示すように、本発明の第１の実施形態例に係るヒューズ装着用治具１は、断面略Ｌ字状に形成された複数（本実施形態例では３つ）の押圧部材２と、押圧部材２を図示しないヒューズ収容部Ｓ側に移動可能に支持する直方体状の本体３と、本体３の底面に設けられ、ヒューズ収容部Ｓに固定して保持するガイド部材４とを有する。
【００３１】
各押圧部材２は、ヒューズＦのヒューズケース５５（図６（Ｃ）参照）の上面に当接する当接部５と、その当接部５をヒューズ収容部Ｓ側（図１では下方向）に押圧する押圧部６とからなる。
【００３２】
押圧部材２の当接部５と押圧部６とは一体に形成されていてもよく、また、別体に形成されてネジ等により固定して取り付けてもよい。
【００３３】
押圧部材２の当接部５は、複数のヒューズＦを同時に押圧できる大きさのサイズに形成されていてもよい。これによって、複数のヒューズＦを同時にヒューズ収容部Ｓに装着することができ、作業効率を向上させることができる。
【００３４】
押圧部材２の当接部５は、押圧部６よりも所定方向（本体３の長手方向に直交する幅方向）に狭く形成された面を有しているので、押圧力を集中させることができる。
【００３５】
本体３には、押圧部材２の当接部５が挿通する挿通孔３ａが形成されている。挿通孔３ａ内には、押圧部材２の押圧部６の下面を支持するための支持部３ｂが突出して設けられている。
【００３６】
押圧部材２及び本体３は、アクリル樹脂等の透明又は半透明な材質で作られているのが好ましい。これによって、押圧部材２の上から装着すべきヒューズＦを目視で確認できる。
【００３７】
本体３の上面は、カバー７によって覆われている。カバー７は、４隅部に形成されたネジ孔を介してネジ８によって本体３に締結されている。カバー７には、押圧部材２の当接部５が貫通する貫通孔９が形成されている。
【００３８】
ガイド部材４は、ヒューズ収容部Ｓの形状や大きさに対応して、本体３をヒューズ収容部Ｓに固定できるように複数の脚部４ａから構成されている。脚部４ａの高さや間隔等は、ヒューズ収容部Ｓの形状や大きさによって異なって形成される。
【００３９】
図２（Ａ）及び（Ｂ）は本発明の第１の実施形態例に係るヒューズ装着用治具１によって、ヒューズＦを装着する工程を説明するための断面図である。
【００４０】
まず、ヒューズＦの一対のヒューズ側端子５３，５４をヒューズ収容部Ｓの一対のヒューズ接続用端子５０，５１上に載置する。複数のヒューズＦを装着する場合には、予め指定された位置に各ヒューズＦをまとめて載置する。
【００４１】
次いで、ヒューズ装着用治具１をガイド部材４の脚部４ａによりヒューズ収容部Ｓ上に固定してセットする。押圧部材２は、その当接部５が、高い挿入力を必要とする第１のヒューズ接続用端子５０側に対応するヒューズケース５５の部分に当接するように、所定方向に沿って位置決めされる。押圧部材２の押圧部６の上部は、ヒューズケース５５に押されてカバー７の上面よりも突出する（図２（Ａ）参照）。
【００４２】
次いで、作業者により、押圧部材２の押圧部６をヒューズ収容部Ｓ側（矢印方向）に押圧する（図２（Ｂ）参照）。これによって、ヒューズＦの一対のヒューズ側端子５３．５４がヒューズ収容部Ｓ内の一対のヒューズ接続用端子５０，５１にそれぞれ接続され、ヒューズＦはヒューズ収容部Ｓ内に装着される。
【００４３】
本発明の第１の実施形態例に係るヒューズ装着用治具１及びヒューズ装着方法によれば、押圧部材２を押圧することにより、ヒューズＦを装着できるので、作業者の指で直接ヒューズＦを押圧する装着作業に比べて作業効率が向上し、ヒューズＦの装着状態を安定化できる。
【００４４】
また、押圧部材２の当接部５が押圧部６よりも所定方向に狭く形成された面を有するので、ヒューズ側端子５３，５４を挿入する際に高い挿入力を必要とする第１のヒューズ接続用端子５０側に対応するヒューズケース５５の部分に当接部５を当接することにより押圧力を集中できる。その結果、ヒューズＦを真っ直ぐに挿入でき、ヒューズＦの挿入位置がズレることがなくなり、ヒューズ抜け等の問題が発生することを防止できる。
【００４５】
また、押圧部６は、当接部５よりも所定方向に広く形成されているので、作業者が指で押しやすく、作業者の指を痛めない。
【００４６】
さらに、本ヒューズ装着用治具１は構造が簡単であり、ヒューズ吸着用の真空パッド等の高価な部材を必要としないので、安価に製造することができる。
【００４７】
図３は、本発明の第２の実施形態例に係るヒューズ装着用治具１０を示す平面図である。
【００４８】
通常、ヒューズＦの外形寸法は規格化されており、ヒューズＦの容量が異なっても外形寸法は同一である。そのため、容量の異なるヒューズＦをヒューズ収容部Ｓに誤って装着する場合があり、検査や差し替え作業等のために生産性の低下を招く要因となっていた。
【００４９】
そこで、本発明の第２の実施形態例に係るヒューズ装着用治具１０では、図３に示すように、装着すべきヒューズＦの位置を確認するために、本体３の上面に、容量毎に異なる色、図形、模様等で区別したチェック用表示１１が施されていることを特徴としている。
【００５０】
押圧部材２及び本体３が透明又は半透明であれば、装着すべきヒューズＦのヒューズケース５５を上部から視認でき、誤装着を防止できる。押圧部材２及び本体３が透明又は半透明でなくても視認可能な孔を形成してもよい。
【００５１】
チェック用の表示は、例えば本体３の上面にチェック用プレートを被せたり、チェック用シールを貼付したものでもよい。
【００５２】
また、カバー７の表面にチェック用シールを貼付したものでもよい。
【００５３】
本発明の第２の実施形態例に係るヒューズ装着用治具１によれば、容量の異なるヒューズＦをヒューズ収容部Ｓに誤って装着することがなくなり、生産性が向上する。
【００５４】
図４は、本発明の第３の実施形態例に係るヒューズ装着用治具１２を示す正面図である。
【００５５】
本発明の第３の実施形態例に係るヒューズ装着用治具１２では、図４に示すように、カバー７の上面に設けられた支軸１３を支点として上下に移動可能に取り付けられた押圧用レバー１４によって、押圧部材２の押圧部６をヒューズ収容部Ｓ側に押圧するように構成されていることを特徴としている。
【００５６】
本発明の第３の実施形態例に係るヒューズ装着用治具１２によれば、押圧部６への押圧を押圧用レバー１４により操作するので、高い挿入力を必要とする場合であっても、テコの原理により小さい力で押圧でき、操作性が向上する。
【００５７】
本発明は、上記実施の形態に限定されることはなく、特許請求の範囲に記載された技術的事項の範囲内において、種々の変更が可能である。
【００５８】
例えば、押圧部材２による押圧力をより集中させるために、当接部５を先端に向かって、逆三角形状に先細になるように形成してもよい。
【００５９】
また、カバー７は本体３に対して扉のように開閉可能に枢着されるように構成してもよい。
【産業上の利用可能性】
【００６０】
本発明は、車両に搭載される電気接続箱等に設けられたヒューズ収容部ＳにヒューズＦを挿入して取り付けるために用いられる。
【図面の簡単な説明】
【００６１】
【図１】（Ａ）は本発明の第１の実施形態例に係るヒューズ装着用治具を示す斜視図、（Ｂ）はその裏面図、（Ｃ）は（Ａ）のｃ−ｃ線断面図である。
【図２】（Ａ）及び（Ｂ）は本発明の実施形態例に係るヒューズ装着用治具によって、ヒューズを装着する工程を説明するための断面図である。
【図３】本発明の第２の実施形態例に係るヒューズ装着用治具を示す平面図である。
【図４】本発明の第３の実施形態例に係るヒューズ装着用治具を示す正面図である。
【図５】（Ａ）は、ヒューズ収容部にヒューズを装着する前の状態を示す平面図、（Ｂ）は（Ａ）のｂ−ｂ線断面図、（Ｃ）はヒューズ収容部にヒューズを装着した後の状態を示す平面図である。
【図６】（Ａ）は第１のヒューズ接続用端子を備えたバスバーを示す正面図、（Ｂ）は第２のヒューズ接続用端子を示す正面図、（Ｃ）はヒューズが一対のヒューズ接続用端子に取り付けられている状態を示す斜視図である。
【符号の説明】
【００６２】
１：ヒューズ装着用治具
２：押圧部材
３：本体
３ａ：挿通孔
４：ガイド部材
４ａ：脚部
５：当接部
６：押圧部
７：カバー
８：ネジ
９：貫通孔
１０：ヒューズ装着用治具
１１：チェック用表示
１２：ヒューズ装着用治具
１３：支軸
１４：押圧用レバー
５０：第１のヒューズ接続用端子
５１：第２のヒューズ接続用端子
５２：バスバー
５３．５４：ヒューズ側端子
５５：ヒューズケース
５６：基板
５７：本体
５８：仕切り部
Ｆ：ヒューズ
Ｓ：ヒューズ収容部
【図１】
2008146887.tif 000003
【図２】
2008146887.tif 000004
【図３】
2008146887.tif 000005
【図４】
2008146887.tif 000006
【図５】
2008146887.tif 000007
【図６】
2008146887.tif 000008